(57)【要約】【課題】収穫状態の変化に応じて刈取前処理装置（５）に設けられた装置の駆動速度を容易に変更できる汎用コンバインの刈取前処理装置を提供する。【解決手段】フィーダハウス（２０）を形成する枠体（２１）の後部に、フィーダハウス（２０）内に備えた穀稈搬送用のチェン（１２Ａ，１２Ｂ）を駆動する第１軸（２６）を設け、枠体（２１）の前部には、掻込みオーガ（３３）および掻込みリール（６１）を駆動する第２軸（２７）と、横刈刃装置（５０）および縦刈刃装置（８０）を駆動する第３軸（２８）を設け、第１軸（２６）に設けた第１スプロケット（２６Ｅ）と第２軸（２７）に設けた第２スプロケット（２７Ａ）と第３軸（２８）に設けた第３スプロケット（２８Ａ）に伝動用のチェン（１２Ｃ）を巻き掛けることにより解決される。【選択図】図７
2013230089.tif 000002
【特許請求の範囲】
【請求項１】
脱穀装置（４）の前方に設けられたコンバインの刈取前処理装置（５）であって、
前記刈取前処理装置（５）は、絡みあった穀桿を切断する縦刈刃装置（８０）と、穀桿を掻き込む掻込みリール（６１）と、穀桿の株元を切断する横刈刃装置（５０）と、刈り取った穀桿を送込口（３２）に集送する掻込みオーガ（３３）と、該送込口（３２）と脱穀装置（４）を連通するフィーダハウス（２０）を備え、
前記フィーダハウス（２０）を形成する枠体（２１）の後部に、該フィーダハウス（２０）内に備えた穀稈搬送用のチェン（１２Ａ，１２Ｂ）を駆動する第１軸（２６）を設け、
前記枠体（２１）の前部には、掻込みオーガ（３３）および掻込みリール（６１）を駆動する第２軸（２７）と、前記横刈刃装置（５０）および縦刈刃装置（８０）を駆動する第３軸（２８）を設け、
前記第１軸（２６）に設けた第１スプロケット（２６Ｅ）と前記第２軸（２７）に設けた第２スプロケット（２７Ａ）と前記第３軸（２８）に設けた第３スプロケット（２８Ａ）に伝動用のチェン（１２Ｃ）を巻き掛けたことを特徴とするコンバインの刈取前処理装置。
【請求項２】
前記第３軸（２８）と横刈刃装置（５０）を駆動する第４軸（２９）の間に、該第３軸（２８）の一方向回転を第４軸（２９）の往復回動に変換する変換機構（２８Ｂ）を設けた請求項１記載のコンバインの刈取前処理装置。
【請求項３】
前記第３軸（２８）と変換機構（２８Ｂ）の間にクラッチ（２８Ｃ）を設けた請求項２記載のコンバインの刈取前処理装置。
【請求項４】
前記第１軸（２６）と第２軸（２７）と第３軸（２８）を枠体（２１）側から未刈取り側に延設し、前記第１軸（２６）の外側端部に第１スプロケット（２６Ｅ）を設け、前記第２軸（２７）の内側端部に第２スプロケット（２７Ａ）を設け、前記第３軸（２８）の内側端部に第３スプロケット（２８Ａ）を設けた請求項１〜３のいずれか１項に記載のコンバインの刈取前処理装置。
【請求項５】
前記縦刈刃装置（８０）を掻込みリール（６１）の回転軸である第５軸（６２）よりも前側に配置し、該縦刈刃装置（８０）の上端部を下降時の掻込みリール（６１）よりも高い位置まで延設させ、該縦刈刃装置（８０）を後下がり傾斜姿勢とした請求項１〜４のいずれか１項に記載のコンバインの刈取前処理装置。
【請求項６】
前記縦刈刃装置（８０）を掻込みリール（６１）の回転軸である第５軸（６２）よりも後側に配置し、該縦刈刃装置（８０）の上端部を下降時の掻込みリール（６１）よりも高い位置まで延設させ、該縦刈刃装置（８０）を後上がり傾斜姿勢とした請求項１〜４のいずれか１項に記載のコンバインの刈取前処理装置。
【発明の詳細な説明】
【技術分野】
【０００１】
本発明は、コンバインの刈取前処理装置に係るものである。
【背景技術】
【０００２】
従来の汎用コンバインの刈取前処理装置には、掻込み装置の一側に後下がり傾斜した縦刈刃が設けられている。
【先行技術文献】
【特許文献】
【０００３】
【特許文献１】特開２０１０―６３４４３号公報
【発明の概要】
【発明が解決しようとする課題】
【０００４】
しかし、従来のコンバインは、エンジンの駆動力を同一のカウンタ軸を介して掻込み装置と縦刈刃に伝達していたので、収穫作業の条件に応じて掻込み装置の掻込み速度に対する縦刈刃の切断速度を切換える作業を行なう場合に、複数のスプロケットとプーリを交換する必要があり、この速度切換作業に多大な時間を要する問題があった。
そこで、本発明の主たる課題は、かかる問題点を解消することにある。
【課題を解決するための手段】
【０００５】
上記課題を解決した本発明は次記のとおりである。
請求項１に係る発明は、脱穀装置（４）の前方に設けられたコンバインの刈取前処理装置（５）であって、前記刈取前処理装置（５）は、絡みあった穀桿を切断する縦刈刃装置（８０）と、穀桿を掻き込む掻込みリール（６１）と、穀桿の株元を切断する横刈刃装置（５０）と、刈り取った穀桿を送込口（３２）に集送する掻込みオーガ（３３）と、該送込口（３２）と脱穀装置（４）を連通するフィーダハウス（２０）を備え、前記フィーダハウス（２０）を形成する枠体（２１）の後部に、該フィーダハウス（２０）内に備えた穀稈搬送用のチェン（１２Ａ，１２Ｂ）を駆動する第１軸（２６）を設け、前記枠体（２１）の前部には、掻込みオーガ（３３）および掻込みリール（６１）を駆動する第２軸（２７）と、前記横刈刃装置（５０）および縦刈刃装置（８０）を駆動する第３軸（２８）を設け、前記第１軸（２６）に設けた第１スプロケット（２６Ｅ）と前記第２軸（２７）に設けた第２スプロケット（２７Ａ）と前記第３軸（２８）に設けた第３スプロケット（２８Ａ）に伝動用のチェン（１２Ｃ）を巻き掛けたことを特徴とするコンバインの刈取前処理装置である。
【０００６】
請求項２に係る発明は、前記第３軸（２８）と横刈刃装置（５０）を駆動する第４軸（２９）の間に、該第３軸（２８）の一方向回転を第４軸（２９）の往復回動に変換する変換機構（２８Ｂ）を設けた請求項１記載のコンバインの刈取前処理装置である。
【０００７】
請求項３に係る発明は、前記第３軸（２８）と変換機構（２８Ｂ）の間にクラッチ（２８Ｃ）を設けた請求項２記載のコンバインの刈取前処理装置である。
【０００８】
請求項４に係る発明は、前記第１軸（２６）と第２軸（２７）と第３軸（２８）を枠体（２１）側から未刈取り側に延設し、前記第１軸（２６）の外側端部に第１スプロケット（２６Ｅ）を設け、前記第２軸（２７）の内側端部に第２スプロケット（２７Ａ）を設け、前記第３軸（２８）の内側端部に第３スプロケット（２８Ａ）を設けた請求項１〜３のいずれか１項に記載のコンバインの刈取前処理装置である。
【０００９】
請求項５に係る発明は、前記縦刈刃装置（８０）を掻込みリール（６１）の回転軸である第５軸（６２）よりも前側に配置し、該縦刈刃装置（８０）の上端部を下降時の掻込みリール（６１）よりも高い位置まで延設させ、該縦刈刃装置（８０）を後下がり傾斜姿勢とした請求項１〜４のいずれか１項に記載のコンバインの刈取前処理装置である。
【００１０】
請求項６に係る発明は、前記縦刈刃装置（８０）を掻込みリール（６１）の回転軸である第５軸（６２）よりも後側に配置し、該縦刈刃装置（８０）の上端部を下降時の掻込みリール（６１）よりも高い位置まで延設させ、該縦刈刃装置（８０）を後上がり傾斜姿勢とした請求項１〜４のいずれか１項に記載のコンバインの刈取前処理装置である。
【発明の効果】
【００１１】
請求項１記載の発明によれば、フィーダハウス（２０）内に備えた穀稈搬送用のチェン（１２Ａ，１２Ｂ）を駆動する第１軸（２６）と、掻込みオーガ（３３）と掻込みリール（６１）を駆動する第２軸（２７）と、横刈刃装置（５０）と縦刈刃装置（８０）を駆動する第３軸（２８）を設け、第１軸（２６）に設けた第１スプロケット（２６Ｅ）と第２軸（２７）に設けた第２スプロケット（２７Ａ）と第３軸（２８）に設けた第３スプロケット（２８Ａ）に伝動用のチェン（１２Ｃ）を巻き掛けているので、収穫作業の条件に応じて、掻込みリール（６１）および掻込みオーガ（３３）の回転速度に対して、縦刈刃装置（８０）および横刈刃装置（５０）の駆動速度を変更することができる構成となり、このように駆動速度を変更することで、穀桿等の収穫物を能率良く収穫することができる。
【００１２】
請求項２記載の発明によれば、請求項１記載の発明による効果に加えて、第３軸（２８）と横刈刃装置（５０）を駆動する第４軸（２９）の間に、この第３軸（２８）の一方向回転を第４軸（２９）の往復回動に変換する変換機構（２８Ｂ）を設けているので、第３軸（２８）の一方向回転を第４軸（２９）の往復回動に変換し、この第４軸（２９）の往復回動によって横刈刃装置（５０）を円滑に駆動することができ、また、伝動機構が簡素化されて製造コストを低減することができる。
【００１３】
請求項３記載の発明によれば、請求項２記載の発明による効果に加えて、第３軸（２８）と変換機構（２８Ｂ）の間にクラッチ（２８Ｃ）を設けているので、第３軸（２８）と変換機構（２８Ｂ）の接続を遮断して横刈刃装置（５０）と縦刈刃装置（８０）の駆動を停止できるために手刈り作業の安全性が高まる。
また、手刈り作業によって刈取った穀桿等は、引続いて駆動中の掻込みオーガ（３３）に投入することにより脱穀装置（４）に搬送され、手刈り作業を能率良く行なうことができる。
【００１４】
請求項４記載の発明によれば、請求項１〜３のいずれか１項に記載の効果に加えて、第１軸（２６）と第２軸（２７）と第３軸（２８）を枠体（２１）側から未刈取り側に延設し、前記第１軸（２６）の外側端部に第１スプロケット（２６Ｅ）を設け、前記第２軸（２７）の内側端部に第２スプロケット（２７Ａ）を設け、前記第３軸（２８）の内側端部に第３スプロケット（２８Ａ）を設けているので、これらの伝動機構を未刈り側から容易にメンテナンスすることができる。
【００１５】
請求項５記載の発明によれば、請求項１〜４のいずれか１項に記載の効果に加えて、縦刈刃装置（８０）を掻込みリール（６１）の回転軸である第５軸（６２）よりも前側に配置し、この縦刈刃装置（８０）の上端部を下降時の掻込みリール（６１）よりも高い位置まで延設させ、この縦刈刃装置（８０）を後下がり傾斜姿勢に設けているので、絡み合った丈の高い油菜や菜の花等の穀桿を掻き込む前に能率良く切断して分離し、円滑に刈り取ることができ、穀稈の引き抜きによる収穫ロスの低減を図ることができる。
【００１６】
請求項６記載の発明によれば、請求項１〜４のいずれか１項に記載の効果に加えて、縦刈刃装置（８０）を掻込みリール（６１）の回転軸である第５軸（６２）よりも後側に配置し、この縦刈刃装置（８０）の上端部を下降時の掻込みリール（６１）よりも高い位置まで延設させ、この縦刈刃装置（８０）を後上がり傾斜姿勢に設けているので、絡み合った穀稈を掻き込む前に能率良く切断しながら分離し、円滑に刈り取ることができ、穀稈の引き抜きによる収穫ロスの低減を図ることができる。
【図面の簡単な説明】
【００１７】
【図１】汎用コンバインの左側面図である。
【図２】第１実施形態の刈取前処理装置の要部平面図である。
【図３】第１実施形態の刈取前処理装置の要部左側面図である。
【図４】第１実施形態の刈取前処理装置の先端部平面図である。
【図５】第１実施形態の刈取前処理装置の先端部背面図である。
【図６】第１実施形態の刈取前処理装置の要部拡大平面図である。
【図７】第１実施形態の動力伝達図である。
【図８】第２実施形態の刈取前処理装置の左側面図である。
【図９】第３実施形態の刈取前処理装置の左側面図である。
【図１０】汎用コンバインの背面図である。
【図１１】エンジンと螺旋軸の接続部の左側面図である。
【図１２】エンジンと螺旋軸の接続部の正面図である。
【図１３】切換ワイヤの第１操作方法の説明図である。
【図１４】切換ワイヤの第２操作方法の説明図である。
【図１５】切換ワイヤの第３操作方法の説明図である。
【発明を実施するための形態】
【００１８】
以下、本発明の汎用コンバインについて添付図面を参照しつつ説明する。
汎用コンバイン１は、図１等に示すように、機体フレーム２の下方には土壌面を走行する為の左右一対のクローラからなる走行装置３が設けられ、機体フレーム２の上方左側には脱穀・選別を行なう脱穀装置４が設けられ、脱穀装置４の前方には圃場の穀桿を収穫する刈取前処理装置５が設けられている。脱穀装置４で脱穀・選別された穀粒は脱穀装置４の右側に設けられたグレンタンク６に貯留され、貯留された穀粒は揚穀筒と横送り筒からなる排出筒（図示省略）により外部へ排出される。また、機体フレーム２の上方右側には操作者が搭乗する操作席が設けられている。
【００１９】
次に、第１実施形態の刈取前処理装置５について説明する。なお、理解を容易にするために便宜的に方向を示して説明しているが、これらにより構成が限定されるものではない。
【００２０】
本発明の第１実施形態の刈取前処理装置５は、図２〜６に示すように、フィーダハウス２０と、オーガ装置３０と、横刈刃装置５０と、掻込み装置６０、及び縦刈刃装置８０から構成されている。また、図７にその動力伝達構造を示す。
【００２１】
（フィーダハウス）
フィーダハウス２０は、オーガ装置３０によって搬送された稲、麦、大豆、そば等の穀桿を脱穀装置４に搬送する装置であり、オーガ装置３０と脱穀装置４の間に設けられている。
【００２２】
フィーダハウス２０の枠体２１における未刈側の前部には、オーガ装置３０と掻込み装置６０にエンジンＥの駆動力（回転）を伝動するスプロケット２７Ａ，２７Ｂを支持する軸（第２軸）２７と、横刈刃装置５０と縦刈刃装置８０にエンジンＥの回転を伝動するスプロケット２８Ａと変換機構２８Ｂを支持する軸（第３軸）２８が、上下方向に所定の間隔を隔てて軸支されている。また、この枠体２１の後部には、フィーダハウス２０等にエンジンＥの回転を伝動するプーリ２６Ａ，２６Ｂおよびスプロケット２６Ｃ，２６Ｄ，２６Ｅを支持する軸（第１軸）２６が軸支されている。また、横刈刃装置５０と縦刈刃装置８０の駆動を停止し手刈り作業を安全に行なうために、エンジンＥの回転を伝動する軸２８と変換機構２８Ｂの基部の間には、手動で操作できるレバーが設けられたクラッチ２８Ｃが設けられている。
スプロケット（第１スプロケット）２６Ｅ，スプロケット（第２スプロケット）２７Ａ，スプロケット（第３スプロケット）２８Ａには、チェン（伝動用のチェン）１２Ｃが巻き掛けられており、チェン１２Ｃのテンションは、スプロケット２６Ｅ、２７Ａの略間に設けられたテンションアームにより所定の範囲に調整されている。
【００２３】
（オーガ装置）
オーガ装置３０は、掻込み装置６０で掻込まれた穀桿を送込口３２の前方に寄せ集めてフィーダハウス２０に引き継がせる装置であり、フィーダハウス２０の前方に配置され、汎用コンバイン１の機体の全幅よりも幅広に構成されている。
【００２４】
オーガ装置３０は、オーガフレーム３１と、掻込まれた穀桿を送込口３２の前方に寄せ集める掻込みオーガ３３等から構成されている。オーガフレーム３１は、左右一対の側板と、両側壁の後面を連結する後板と、両側板の一部下面と後板の下面を連結する底板によってバケット状に形成されている。また、両側板の前端部には、圃場の穀桿を分草する分草体３９，３９が設けられ、後板の左下部には、穀桿をフィーダハウス２０に搬送する送込口３２が形成され、底板の前端部には、穀桿の株元を切断する横刈刃装置５０が設けられている。
【００２５】
両側板の上面は、側面視において前側から後側に後上がり傾斜して形成され、下面は、前側から中間までは略水平に形成され、中間から後側は下側に向かって円弧状に突出して形成されている。後板は、正面視において略長方形に形成され、底板は、側面視において側板の下面に沿って前側から中間までは略水平に形成され、中間から後側に下側に向かって円弧状に突出して形成されている。なお、このオーガフレーム３１は、鋼材からなる両側板と後板とを溶接により一体的に形成することもでき、また、一枚の鋼材を切断・折曲げて一体形成することもできる。さらに、側板等の形状は、上述の形状に限定されることはなく用途に合わせ任意の形状に形成することができる。
【００２６】
掻込みオーガ３３は、オーガフレーム３１の両側板に回転自在に軸支された軸３４によって支持されている。掻込みオーガ３３の外周には、掻込み装置６０で掻込まれた穀桿を送込口３２の前方に寄せ集める向きに傾斜した搬送螺旋３３Ａが固着され、掻込みオーガ３３における送込口３２に対向する部位には、穀桿の滞留を防止するために複数の掻込みフィンガー３３Ｂが出没自在に形成備えられている。
【００２７】
掻込みオーガ３３を支持する軸３４は、オーガフレーム３１の左側板よりも左側に延設し、軸３４の左端部には、所定の間隔を隔ててスプロケット３４Ａ，３４Ｂが固定されている。また、スプロケット２７Ｂ，３４Ａには、伝動用のチェン１２Ｄが巻き掛けられている。
【００２８】
（横刈刃装置）
横刈刃装置５０は、掻込み装置６０で掻込まれた穀桿、縦刈刃装置８０で上部を切断された油菜、菜の花等の丈の高い穀桿等の株元を切断する装置であり、オーガフレーム３１の底板の前端部に設けられ、側面視において前側から後側に緩やかに後上がり傾斜している。
【００２９】
この横刈刃装置５０は、固定した横下刃５２と、横下刃５２を支持する横刈刃プレート５３と、横下刃５２と横刈刃プレート５３によって形成された隙間を左右方向に往復移動する横上刃５１から構成されている。
【００３０】
揺動腕５４の先端部は、横上刃５１の基部に形成された凹部に嵌入され、後端部は、軸（第４軸）２９の先端部に連結されている。軸２９が往復回動すると、揺動腕５４の先端部は、軸２９の軸心を中心として往復揺動し、横上刃５１が左右方向に往復移動する。
【００３１】
エンジンＥの回転は、スプロケット２８Ａ、変換機構２８Ｂ等を介して軸２９に伝動される。変換機構２８Ｂの入力側に伝動されたエンジンＥの回転は、変換機構２８Ｂの基部に一定の角度を持って設けられた偏角軸部により往復回動に変換され、出力側に接続された軸２９を、この軸２９の軸心回りに往復回動させる。軸２９の往復回動に伴って揺動腕５４の先端部は、左右方向に往復揺動し、横上刃５１を左右方向に往復移動させる。なお、横刈刃装置５０は、上述した実施形態に限定されることはなく、横上刃５１の移動によって発生する振動等を低減するために左側に位置する水平上刃と右側に位置する水平上刃を夫々別体に形成し、左側の水平上刃と右側の水平上刃を互いに反対方向に往復摺動させる構成とすることもできる。
【００３２】
（掻込み装置）
掻込み装置６０は、倒伏した穀桿、大豆、そば等の丈の低い穀桿、及び油菜、菜の花等の丈の高い穀桿をオーガ装置３０に掻込む装置であり、オーガ装置３０の約全幅に亘ってオーガ装置３０の上側前方に設けられている。
【００３３】
掻込み装置６０は、掻込みリール６１と、掻込みリール６１を上下に移動させるアーム６３等から構成されている。
アーム６３の基部は、オーガフレーム３１の両側板から立設した支持部６６に回転自在に軸支された軸６８に回転自在に支持され、中間部は、アーム６３を上下方向に昇降させる油圧シリンダ等の昇降装置６７の先端部に連結され、先端部には、掻込みリール６１を支持する軸（第５軸）６２が軸支されている。なお、昇降装置６７の基端部は、オーガフレーム３１の左側板に取付けられている。
支持部６６に軸支された軸６８の右側端部には、スプロケット６８Ａが、左側端部には、スプロケット６８Ｂが支持され、掻込みリール６１を支持する軸６２の右側部には、スプロケット６２Ａが支持されており、スプロケット３４Ｂ、６８Ｂには、チェン１２Ｅが巻き掛けられ、スプロケット６２Ａ、６８Ａには、チェン１１Ｃが巻き掛けられている。
【００３４】
掻込みリール６１は、側面視において略五角形状に形成されており、五箇所の各隅部には、タイン支持杆６５が設けられ、タイン支持杆６５には、横方向に所定間隔を隔てて複数のリールタイン６４が吊下げられている。また、掻込みリール６１は、アーム６３の先端部の軸６２に支持されている。
【００３５】
（縦刈刃装置）
縦刈刃装置８０は、オーガフレーム３１の左側板の上方で絡み合った穀桿を切断する装置であり、縦刈刃装置８０の上端部は、掻込みリール６１の軸６２よりも前方に設けられ、下端部は、分草体３９よりも後方に設けられている。また、縦刈刃装置８０は上端部から下端部に向かって緩やかに後下がり傾斜（傾斜角約６０度）して設けられている。
【００３６】
縦刈刃装置８０は、穀桿を切断する固定した縦下刃８２と、縦下刃８２を支持する縦刈刃プレート８３と、縦下刃８２と縦刈刃プレート８３によって形成された隙間を上下方向に往復移動する縦上刃８１から構成されている。
【００３７】
揺動腕８４の先端部は、ロッド８４Ａを介して縦上刃８１の基部に形成された凹部に嵌入され、基部は、軸２９の先端部に固定されている。揺動腕８４が往復回動すると、ロッド８４Ａの先端部は上下方向に揺動し、縦上刃８１が上下方向に往復移動する。
【００３８】
エンジンＥの回転は、スプロケット２８Ａ、変換機構２８Ｂ等を介して軸２９に伝動される。変換機構２８Ｂの入力側に伝動されたエンジンＥの回転は、出力側に接続された軸２９を、この軸２９の軸心回りに往復回動させる。軸２９の往復回動に伴って揺動腕８４の先端部（左側端部）は、上下方向に往復揺動し、ロッド８４Ａを介して縦上刃８１を上下方向に往復移動させる。
【００３９】
縦刈刃装置８０の縦刈刃プレート８３の上端部は、オーガフレーム３１の左側板の左面から前方上側に向かって立設した支持フレーム８５の先端部にボルト等の締結手段によって取付けられ、下端部は、オーガフレーム３１の左側板の左面の前側部にボルト等の締結手段によって取付けられている。また、支持フレーム８５の基部は、オーガフレーム３１の左側板の左面に支持された支持部８６の溝に嵌合し、縦刈刃プレート８３と支持フレーム８５の間には、金属製のカバー８７が設けられている。
【００４０】
（動力伝達）
図７に示すように、エンジンＥから出力された動力は、走行装置３を駆動する油圧式無段変速装置１０に入力され、この油圧式無段変速装置１０から出力された動力の一部が、伝動用のベルト１１Ａ，１１Ｂを介してプーリ２６Ａ，２６Ｂに伝動される。このプーリ２６Ａ，２６Ｂは、フィーダハウス２０の枠体２１の後側に回転自在に軸支された軸２６に支持されている。プーリ２６Ａ，２６Ｂに伝動された回転は、軸２６を介してスプロケット２６Ｃ，２６Ｄ，２６Ｅに伝動される。なお、軸２６は機体フレーム２または脱穀装置４の前側の部位に左右方向姿勢で支持されており、この軸２６によって、刈取前処理装置５が昇降回動自在に支持される。
スプロケット２６Ｃ，２６Ｄと、枠体２１の前部に回転自在に軸支された軸２２に支持されている左右一対のスプロケット（図示省略）には、多数のラグを掛け渡した左右のチェン（穀稈搬送用のチェン）１２Ａ，１２Ｂが掛け回されており、スプロケット２６Ｃ，２６Ｄに動力が伝動されることで、チェン１２Ａ，１２Ｂが駆動する。これによって、フィーダハウス２０の前方の送込口３２に移送された穀桿を後方に設けられた脱穀装置４に搬送することができる。
【００４１】
スプロケット２６Ｅの回転は、チェン１２Ｃを介してスプロケット２７Ａ，２８Ａに伝動される。スプロケット２７Ａ，２８Ａのそれぞれは、フィーダハウス２０の枠体２１の左側（未刈側）に回転自在に軸支して配置された軸２７，２８に支持されている。軸２８は、図２に示すように、オーガフレーム３１の後板の左端部背面側に軸受けされている。スプロケット２７Ａに伝動された回転は、軸２７を介してスプロケット２７Ｂに伝動される。
スプロケット２７Ｂに伝動された回転は、チェン１２Ｄを介してスプロケット３４Ａに伝動される。スプロケット３４Ａは、オーガフレーム３１の左右の側板間に軸支され掻込みオーガ３３を支持する軸３４に支持されている。これによって、エンジンＥの回転が掻込みオーガ３３に伝動され、掻込み装置６０等によってオーガ装置３０に掻き込まれた穀桿をフィーダハウス２０の前方の送込口３２に移送することができる。
【００４２】
スプロケット３４Ａに伝動された回転は、軸３４を介してスプロケット３４Ｂに伝動される。スプロケット３４Ｂに伝動された回転は、チェン１２Ｅを介して、軸６８に支持されたスプロケット６８Ｂに伝動される。軸６８は、オーガフレーム３１の左右の側板から立設した支持部６６に軸支されている。スプロケット６８Ｂに伝動され回転は、軸６８を介して、この軸６８の右端に固定したプーリ６８Ａに伝動される。
プーリ６８Ａに伝動された回転は、伝動用のベルト１１Ｃを介して、掻込み装置６０のアーム６３の先端部に回転自在に軸支された軸６２に固定されたプーリ６２Ａに伝動される。軸６２には掻込みリール６１が支持されており、これによって、エンジンＥの回転が掻込みリール６１に伝動され、圃場に倒伏した穀桿、丈の低い穀桿等をオーガ装置３０に掻き込むことができる。
【００４３】
スプロケット２８Ａに伝動された回転は、軸２８を介して変換機構２８Ｂに伝動される。変換機構２８Ｂの入力側に伝動された回転は、変換機構２８Ｂの基部に一定の角度を持って設けられた偏角軸部において略歳差運動に変換され、軸２９の往復回動として出力される。すなわち、前後方向の軸心を中心として、この変換機構２８Ｂのケース部の上下端部は、左右方向（軸２８の軸心方向）に往復揺動運動する。軸２９の後端部には、上下のアーム２９Ａが取り付けられており、このアーム２９Ａの後端部によって、変換機構２８Ｂのケース部の上下端部から突出したピン２８Ｐが軸受けされている。
変換機構２８Ｂに伝動され、変換機構２８Ｂで往復回動に変換された回転は、軸２９を介して横刈刃装置５０の揺動腕５４と縦刈刃装置８０の揺動腕８４に伝動される。なお、軸２９の前端部には、横刈刃装置５０の横上刃５１を左右に往復運動させる揺動腕５４と縦刈刃装置８０の縦上刃８１を上下に往復運動させる揺動腕８４が、所定の間隔を隔てて連結されている。これによって、エンジンＥの回転が横刈刃装置５０の横上刃５１に伝動され、掻込みリール６１で掻き込まれた穀桿の株元を切断することができる。また、エンジンＥの回転が縦刈刃装置８０の縦上刃８１に伝動され、油菜、菜の花等の丈の高い穀桿を切断することができる。
【００４４】
次に、本発明の第２実施形態について説明する。なお、第１実施形態と同一部材には同一符号を付し重複した説明は省略する。
【００４５】
図８に示すように、第２実施形態の縦刈刃装置８０Ａは、オーガフレーム３１の左側板の上方で絡み合った油菜、菜の花等の丈の高い穀桿を切断するのに好適な装置である。縦刈取装置８０Ａは、図８に示すように、全長が第１実施形態の縦刈取装置８０よりも長く形成され、掻込み装置６０の上端部よりも上方に延設している。また、縦刈刃装置８０Ａの上端部は、掻込みリール６１の軸６２よりも前方に設けられ、下端部は、分草体３９よりも後方に設けられている。また、第２縦刈刃装置８０Ａは上端部から下端部に向かって後下がり傾斜（傾斜角約７５度）して設けられている。
【００４６】
縦刈取装置８０Ａの縦刈刃プレート８３の上端部は、オーガフレーム３１の左側板の上面から前方上側に向かって立設した支持フレーム８５Ａに支持され、下端部は、オーガフレーム３１の左側板の左面の前側部に支持されている。なお、支持フレーム８５Ａの基部は、オーガフレーム３１の左側板の上面に固定されている。
【００４７】
エンジンＥの回転は、スプロケット２６Ｅ、チェン１２Ｃを介してスプロケット２７Ａ，２８Ａに伝動される。スプロケット２７Ａ，２８Ａは、それぞれフィーダハウス２０の枠体２１の左側に回転自在に軸支された軸２７，２８に支持されている。
【００４８】
スプロケット２８Ａに伝動された回転は、軸２８を介してプーリ２８Ｄに伝動される。プーリ２８Ｄに伝動された回転は、ベルト１２Ｆを介してプーリ２４Ａに伝動される。プーリ２４Ａは、フィーダハウス２０の枠体２１の左側に回転自在に軸支された軸２４に支持されている。プーリ２４Ａに伝動された回転は、軸２４を介して変換機構２８Ｂに伝動される。変換機構２８Ｂの入力側に伝動された回転は、往復回動に変換され、変換機構２８Ｂの出力側の軸２９を、この軸２９の軸心を中心に往復回動させる。
【００４９】
揺動腕５４の先端部は横上刃５１の基部に形成された凹部に嵌入され、基部は軸２９の先端部に連結され、軸２９の往復回動に伴って、揺動腕５４の先端部は左右方向に往復揺動して横上刃５１を左右方向に往復移動させる。また、揺動腕８４の先端部は縦上刃８１の基部に形成された凹部に嵌入され、基部は軸２９の先端部に連結され、軸２９の往復回動に伴って、揺動腕８４の先端部は上下方向に往復揺動して縦上刃８１を上下方向に往復移動させる。
【００５０】
次に、本発明の第３実施形態について説明する。なお、第１実施形態と同一部材には同一符号を付し重複した説明は省略する。
【００５１】
図９に示すように、第３実施形態の縦刈刃装置８０Ｂは、縦刈刃装置８０Ｂの重心を機体に近づけ、切断時に発生する振動、騒音を低減した装置である。縦刈取装置８０Ｂは、図９に示すように、全長が第１実施形態の縦刈取装置８０よりも長く形成され、掻込み装置６０の上端部よりも上方に延設している。また、縦刈刃装置８０Ｂの上端部は、掻込みリール６１の軸６２よりも後方に設けられ、下端部は、分草体３９よりも後方に設けられている。また、縦刈刃装置８０Ｂは上端部から下端部に向かって後上がり傾斜（傾斜角約７５度）して設けられている。
【００５２】
縦刈取装置８０Ｂの縦刈刃プレート８３の上下方向の中間部は、オーガフレーム３１の左側板の上面から前方上側に向かって立設した支持フレーム８５Ｂに支持され、下端部は、オーガフレーム３１の左側板の左面の前側部に支持されている。なお、支持フレーム８５Ａの基部は、オーガフレーム３１の左側板の上面に固定されている。
【００５３】
エンジンＥの回転は、スプロケット２６Ｅ、チェン１２Ｃを介してスプロケット２７Ａ，２８Ａに伝動される。スプロケット２７Ａ，２８Ａは、それぞれフィーダハウス２０の枠体２１の左側に回転自在に軸支された軸２７，２８に支持されている。
【００５４】
スプロケット２８Ａに伝動された回転は、軸２８を介してプーリ２８Ｄに伝動される。プーリ２８Ｄに伝動された回転は、ベルト１２Ｆを介してプーリ２４Ａに伝動される。プーリ２４Ａは、フィーダハウス２０の枠体２１の左側に回転自在に軸支された軸２４に支持されている。プーリ２４Ａに伝動された回転は、軸２４を介して変換機構２８Ｂに伝動される。変換機構２８Ｂの入力側に伝動された回転は、往復回動に変換され、変換機構２８Ｂの出力側の軸２９を、この軸２９の軸心を中心に往復回動させる。
【００５５】
揺動腕５４の先端部は横上刃５１の基部に形成された凹部に嵌入され、基部は軸２９の先端部に連結され、軸２９の往復回動に伴って、揺動腕５４の先端部は左右方向に往復揺動して横上刃５１を左右方向に往復移動させる。また、揺動腕８４の先端部は縦上刃８１の基部に形成された凹部に嵌入され、基部は軸２９の先端部に連結され、軸２９の往復回動に伴って、揺動腕８４の先端部は上下方向に往復揺動して縦上刃８１を左右方向に往復移動させる。
【００５６】
次に、揚穀筒と横送り筒からなる排出筒に替えて簡易排出筒７６を設けた汎用コンバイン１のグレンタンク６について説明する。
【００５７】
グレンタンク６に貯留された穀粒の籾袋への搬送方法は、図１０に示すように、操作者がグレンタンク６の後側に設けられ簡易排出筒７６を手動で略３時の方向に回転させ、簡易排出筒７６の排出部７６Ｃに籾袋を取付けて行なうのが一般的である。
グレンタンク６の底部には、前後方向に延設した軸７０に支持された排出螺旋７０Ａが設けられ、グレンタンク６の後側には、排出螺旋７０Ａと連通する簡易排出筒７６が立設し、簡易排出筒７６は、背面視において略１２時方向から略３時方向に揺動させることができる。
【００５８】
図１１，１２に示すように、エンジンＥのクランク軸７１に支持されたプーリ７１Ａと、エンジンＥとグレンタンク６の間に設けられたギヤボックス７２に支持されたプーリ７２Ａには、ベルト７３が巻き掛けられている。また、プーリ７１Ａ、７２Ａの間には、ベルト７３の張力を調整するテンションアーム７４が設けられ、テンションアーム７４の姿勢は、テンションアーム７４の先部に一側が連結されたワイヤ７５によって切換えることができる。
【００５９】
ワイヤ７５を上方に向かって引上げると、テンションアーム７４の先端部に設けられたロールがプーリ７１Ａ、７２Ａに巻き掛けられたベルト７３を圧押してベルト７３の張力を所定の張力範囲にして、エンジンＥの回転をベルト７３を介してプーリ７２Ａに伝達する。他方、ワイヤ７５を下方に向かって引下げると、テンションアーム７４の先端部に設けられたロールがプーリ７１Ａ、７２Ａに巻き掛けられたベルト７３から離間してベルト７３の張力が所定以下となり、エンジンＥの回転をプーリ７２Ａに伝達することができなくなる。
【００６０】
プーリ７２Ａに伝達された回転は、ギヤボックス７２を介してグレンタンク６の底部に設けられた搬出螺旋７０Ａを支持する軸７０に伝動され、グレンタンク６に貯留されている穀粒を簡易排出筒７６に搬送する。また、簡易排出筒７６内の穀粒を外部に搬送する搬送螺旋７６Ｂを支持する軸７６Ａは、キヤボックス等を介して軸７０に連結している。
つまり、ワイヤ７５を上方に向かって引上げると、エンジンＥの回転がベルト７３等を介してグレンタンク６の底部に設けられた搬出螺旋７０Ａ、簡易排出筒７６内に設けられた搬送螺旋７６Ｂを回転させ、グレンタンク６内に貯留している穀粒を簡易排出筒７６の排出部７６Ｃに取付けられた籾袋に搬送することができる。他方、ワイヤ７５を下方に向かって引下げると、グレンタンク６の搬出螺旋７０Ａ、簡易排出筒７６の搬送螺旋７６Ｂの回転が停止して、グレンタンク６内に貯留している穀粒の搬送が停止する。
【００６１】
次に、ワイヤ７５の引上げ、引下げを操作する構成について説明する。
第１構成は、図１３に示すように、ワイヤ７５のベルト７３に連結されている一側とは反対側の他側を簡易排出筒７６の回転に伴って回転する略への字形状の回転部材７７の一端に連結されている。
簡易排出筒７６が略１２時から略３時の方向に揺動させた場合、簡易排出筒７６の基部に設けられ突起部７６Ｃにより回転部材７７の他端が押し下げられ、背面視において回転部材７７は時計方向に回転して、回転部材７７の一側に連結されているワイヤ７５を引張り、ベルト７３に連結されているワイヤ７５の一側を引上げる。
これにより、簡易排出筒７６を穀粒の排出位置である略３時の位置に回転することにより、エンジンＥの回転がベルト７３を介して搬送螺旋７０Ａ，７６Ｂに伝動され、グレンタンク６に貯留されていた穀粒の外部への排出作業を簡易に行なうことができる。
【００６２】
第２構成は、図１４に示すように、ワイヤ７５のベルト７３に連結されている一側とは反対側の他側を籾袋の着脱によって回転する簡易排出筒７６の排出部７６Ｄに設けられた案内部材７８の一端に連結する。
籾袋の装着した場合、案内部材７８は支点を中心として時計方向に揺動し、案内部材７８の一側に連結されているワイヤ７５を引張り、ベルト７３に連結されているワイヤ７５の一側を引上げる。
これにより、簡易排出筒７６を穀粒の排出位置である略３時の位置に回転して簡易排出筒７６の排出部７６Ｄに籾袋を取付けることにより、エンジンＥの回転がベルト７３を介して搬送螺旋７０Ａ，７６Ｂに伝動され、グレンタンク６に貯留されていた穀粒の外部への排出作業を簡易に行なうことができる。なお、籾袋への穀粒の搬送を効率的に行なうため排出案内部材７８には、穀粒よりも大きな複数の孔か開口されている。
【００６３】
第３構成は、図１５に示すように、ワイヤ７５のベルト７３に連結されている一側とは反対側の他側を左右に揺動する簡易排出筒７６の排出部７６Ｄに連結する。
背面視において、排出部７６Ｄの下部を支点を中心として時計方向に揺動した場合、排出部７６Ｄの下部に連結されているワイヤ７５を引張り、ベルト７３に連結されているワイヤ７５の一側を引上げる。
これにより、簡易排出筒７６を穀粒の排出位置である略３時の位置に回転して、簡易排出筒７６の排出部７６Ｄを反時計方向に揺動させることにより、エンジンＥの回転がベルト７３を介して搬送螺旋７０Ａ，７６Ｂに伝動され、グレンタンク６に貯留されていた穀粒の外部への排出作業を簡易に行なうことができる。
【００６４】
なお、ワイヤ７５を操作する構成は、上述した第１〜３構成に限定されることはなく脚踏みクラッチ等にワイヤ７５のベルト７３に連結されている一側とは反対側の他側を連結してワイヤ７５の他端を引張り、ベルト７３に連結されているワイヤ７５の一側を引上げることも可能である。
【産業上の利用可能性】
【００６５】
本発明は、汎用コンバインの刈取前処理装置に利用できるものである。
【符号の説明】
【００６６】
４      脱穀装置
５      刈取前処理装置
１２Ａ  チェン（穀稈搬送用のチェン）
１２Ｂ  チェン（穀稈搬送用のチェン）
１２Ｃ  チェン（伝動用のチェン）
２０    フィーダハウス
２１    枠体
２６    軸（第１軸）
２６Ｅ  スプロケット（第１スプロケット）
２７    軸（第２軸）
２７Ａ  スプロケット（第２スプロケット）
２８    軸（第３軸）
２８Ａ  スプロケット（第３スプロケット）
２８Ｂ  変換機構
２８Ｃ  クラッチ
２９    軸（第４軸）
３０    オーガ装置
３２    送込口
３３    掻込みオーガ
５０    横刈刃装置
５１    横上刃
６０    掻込み装置
６１    掻込みリール
６２    軸（第５軸）
８０    縦刈刃装置
８１    縦上刃
【図１】
2013230089.tif 000003
【図２】
2013230089.tif 000004
【図３】
2013230089.tif 000005
【図４】
2013230089.tif 000006
【図５】
2013230089.tif 000007
【図６】
2013230089.tif 000008
【図７】
2013230089.tif 000009
【図８】
2013230089.tif 000010
【図９】
2013230089.tif 000011
【図１０】
2013230089.tif 000012
【図１１】
2013230089.tif 000013
【図１２】
2013230089.tif 000014
【図１３】
2013230089.tif 000015
【図１４】
2013230089.tif 000016
【図１５】
2013230089.tif 000017